(57)【要約】【課題】外付けの電話端末に対応するプレフィックス番号を任意の電話番号に付与して発信を行うことができる電話発信装置を提供すること。【解決手段】車載装置１は、携帯端末装置９０が接続された状態で携帯端末装置９０に対応するプレフィックス番号を特定するプレフィックス特定部５４と、発信先番号を指定した発信要求があったときに、この発信先番号にプレフィックス番号が含まれているか否かを判定するプレフィックス判定部５５と、プレフィックス判定部５５によってプレフィックス番号が含まれていない旨の判定が行われたときに、プレフィックス特定部５４によって特定されたプレフィックス番号を発信先番号に付与するプレフィックス付与部５６と、プレフィックス付与部５６によって付与されたプレフィックス番号と発信先番号とを指定して携帯端末装置９０に発信を指示する発信処理部５７とを備える。【選択図】図１
2019121936.tif 000002
【特許請求の範囲】
【請求項１】
外付けの電話端末との間で接続を行って前記電話端末との間でデータの送受信を行う接続手段と、
前記接続手段に前記電話端末が接続された状態で、前記電話端末に対応するプレフィックス番号を特定するプレフィックス特定手段と、
発信先番号を指定した発信要求があったときに、この発信先番号にプレフィックス番号が含まれているか否かを判定するプレフィックス判定手段と、
前記プレフィックス判定手段によってプレフィックス番号が含まれていない旨の判定が行われたときに、前記プレフィックス特定手段によって特定されたプレフィックス番号を前記発信先番号に付与するプレフィックス付与手段と、
前記プレフィックス付与手段によって付与された前記プレフィックス番号と前記発信先番号とを指定して前記電話端末に発信を指示する発信手段と、
を備えることを特徴とする電話発信装置。
【請求項２】
前記電話端末を用いた通信は、仮想移動体通信事業者が提供する移動通信サービスを利用して行われることを特徴とする請求項１に記載の電話発信装置。
【請求項３】
前記接続手段に接続された前記電話端末の発信履歴情報を取得する発信履歴取得手段をさらに備え、
前記プレフィックス特定手段は、前記発信履歴情報に含まれる発信履歴番号に基づいて、前記電話端末に対応するプレフィックス番号を特定することを特徴とする請求項１または２に記載の電話発信装置。
【請求項４】
前記プレフィックス特定手段は、前記発信履歴番号に含まれる携帯電話番号あるいは固定電話番号を除いた残りの番号を用いてプレフィックス番号を特定することを特徴とする請求項３に記載の電話発信装置。
【請求項５】
前記プレフィックス特定手段は、前記接続手段に接続された前記電話端末においてプレフィックス番号を付与するアプリケーションの有無を確認し、存在する場合にこのアプリケーションに対応するプレフィックス番号を特定することを特徴とする請求項１または２に記載の電話発信装置。
【請求項６】
前記プレフィックス付与手段は、プレフィックス番号の付与が利用者によって指示された場合に、前記プレフィックス特定手段によって特定されたプレフィックス番号を前記発信先番号に付与することを特徴とする請求項１〜５のいずれか一項に記載の電話発信装置。
【請求項７】
前記発信先番号は、利用者によってテンキーを用いて入力された番号、あるいは、電話帳に登録されている複数の通話先の中から利用者によって選択された通話先に対応する番号のいずれかであることを特徴とする請求項１〜６のいずれか一項に記載の電話発信装置。
【請求項８】
前記発信先番号は、利用者によって通話先として指定された施設情報としての施設電話番号であることを特徴とする請求項１〜６のいずれか一項に記載の電話発信装置。
【発明の詳細な説明】
【技術分野】
【０００１】
本発明は、外部に接続された電話端末に対して通話先の電話番号を指定して発信動作を行う電話発信装置に関する。
【背景技術】
【０００２】
従来から、着信履歴としての複数の電話番号と発信履歴としての複数の電話番号とを記憶しておいて、利用者が着信履歴としての複数の電話番号の中からいずれかの電話番号を選択して発信操作を行う場合に、この選択された電話番号とマッチングするプレフィックス付きの電話番号を発信履歴の中から抽出して発信を行うようにした電話端末が知られている（例えば、特許文献１参照。）。
【先行技術文献】
【特許文献】
【０００３】
【特許文献１】特開２０１４−１３８２７０号公報
【発明の概要】
【発明が解決しようとする課題】
【０００４】
ところで、上述した特許文献１に開示された電話端末では、発信履歴としてプレフィックス付きの電話番号が記憶されている場合に限って、着信履歴に含まれる同じ電話番号に対してプレフィックス番号を付与して発信することができる。着信履歴には含まれるがプレフィックス番号が付加されていない電話番号の間に発信する場合や、プレフィックス番号が付加されていない電話番号が登録された電話帳から通話先を選択して発信する場合などについては、自動的にプレフィックス付きの電話番号を用いた発信ができないという問題があった。この場合には、利用者自身がプレフィックス番号を入力するなどの操作が必要になって、操作が煩雑になる。また、ハンズフリー機能を有する車載機にスマートフォン等の電話端末を接続し、車載器を操作して電話番号入力等を行う場合であって、仮想移動体通信業者（ＭＶＮＯ）の電話端末を用いる場合には、この仮想移動体通信業者に対応するプレフィックス番号が何番であるかを利用者自身が把握していないこともあり、このような場合にはプレフィックス番号を付与する操作自体が困難であって、割安な料金体系の通話ができないことになる。
【０００５】
本発明は、このような点に鑑みて創作されたものであり、その目的は、外付けの電話端末に対応するプレフィックス番号を任意の電話番号に付与して発信を行うことができる電話発信装置を提供することにある。
【課題を解決するための手段】
【０００６】
上述した課題を解決するために、本発明の電話発信装置は、外付けの電話端末との間で接続を行って電話端末との間でデータの送受信を行う接続手段と、接続手段に電話端末が接続された状態で、電話端末に対応するプレフィックス番号を特定するプレフィックス特定手段と、発信先番号を指定した発信要求があったときに、この発信先番号にプレフィックス番号が含まれているか否かを判定するプレフィックス判定手段と、プレフィックス判定手段によってプレフィックス番号が含まれていない旨の判定が行われたときに、プレフィックス特定手段によって特定されたプレフィックス番号を発信先番号に付与するプレフィックス付与手段と、プレフィックス付与手段によって付与されたプレフィックス番号と発信先番号とを指定して電話端末に発信を指示する発信手段とを備えている。
【０００７】
接続された外付けの電話端末に対応するプレフィックス番号が特定されるとともに、利用者によって指定された発信先番号についてプレフィックス番号付与の有無が判定されるため、プレフィックス番号が付与されていない発信先番号が指定されたときに、外付けの電話端末に対応する正確なプレフィックス番号を付与してこの発信先番号に対して発信を行うことが可能となる。
【０００８】
また、上述した電話端末を用いた通信は、仮想移動体通信事業者が提供する移動通信サービスを利用して行われることが望ましい。これにより、仮想移動体通信事業者が提供する安価な通信サービスを確実に利用することが可能になり、プレフィックス番号がわからなかったり付与を忘れることにより通信費が増大することを防止することができる。
【０００９】
また、上述した接続手段に接続された電話端末の発信履歴情報を取得する発信履歴取得手段をさらに備え、プレフィックス特定手段は、発信履歴情報に含まれる発信履歴番号に基づいて、電話端末に対応するプレフィックス番号を特定することが望ましい。電話端末の発信履歴情報に含まれる発信履歴番号には、この電話端末に対応するプレフィックス番号が付与されていることが多いため、この発信履歴情報を取得して内容を解析することにより、この電話端末に対応するプレフィックス番号を容易に特定することができる。
【００１０】
また、上述したプレフィックス特定手段は、発信履歴番号に含まれる携帯電話番号あるいは固定電話番号を除いた残りの番号を用いてプレフィックス番号を特定することが望ましい。発信履歴番号から携帯電話番号や固定電話番号を取り除くことにより、これらの先頭部分に付与されたプレフィックス番号を抽出することが可能となる。
【００１１】
また、上述したプレフィックス特定手段は、接続手段に接続された電話端末においてプレフィックス番号を付与するアプリケーションの有無を確認し、存在する場合にこのアプリケーションに対応するプレフィックス番号を特定することが望ましい。仮想移動体通信事業者の通信サービスに対応する電話端末では、この仮想移動体通信事業者専用のプレフィックス番号を付与するアプリケーションを用いることが多いため、このようなアプリケーションが用いられていることを確認することにより、このアプリケーション番号に対応するプレフィックス番号を容易に特定することができる。
【００１２】
また、上述したプレフィックス付与手段は、プレフィックス番号の付与が利用者によって指示された場合に、プレフィックス特定手段によって特定されたプレフィックス番号を発信先番号に付与することが望ましい。これにより、利用者が希望する場合に限ってプレフィックス番号を付与することができ、利用者の意思を尊重した発信動作を行うことが可能となる。
【００１３】
また、上述した発信先番号は、利用者によってテンキーを用いて入力された番号、あるいは、電話帳に登録されている複数の通話先の中から利用者によって選択された通話先に対応する番号のいずれかであることが望ましい。これにより、利用者が電話番号を直接入力した場合や車載装置等に備わった電話帳の中から任意の通話先を指定した場合であって、プレフィックス番号の付与がなされていない場合に、確実にプレフィックス番号を付与することができる。
【００１４】
また、上述した発信先番号は、利用者によって通話先として指定された施設情報としての施設電話番号であることが望ましい。一般に、施設情報としての施設電話番号には、特定の電話端末に対応するプレフィックス番号が含まれないが、このような施設電話番号を通話先として指定する場合であっても、確実にプレフィックス番号を付与することができる。
【図面の簡単な説明】
【００１５】
【図１】一実施形態の車載装置の構成を示す図である。
【図２】携帯端末装置がブルートゥース接続された際にこの携帯端末装置に対応するプレフィックス番号を特定する動作手順を示す流れ図である。
【図３】特定されたプレフィックス番号を用いて発信動作を行う動作手順を示す流れ図である。
【図４】携帯端末装置がブルートゥース接続された際にこの携帯端末装置に対応するプレフィックス番号を特定する変形例の動作手順を示す流れ図である。
【図５】利用者の同意を待ってプレフィックス番号を付与するようにした変形例の動作手順を示す流れ図である。
【発明を実施するための形態】
【００１６】
以下、本発明の電話発信装置を適用した一実施形態の車載装置について、図面を参照しながら説明する。
【００１７】
図１は、一実施形態の車載装置の構成を示す図である。図１に示すように、本実施形態の車載装置１は、ナビゲーション処理部１０、ＴＶチューナ処理部１４、ラジオチューナ処理部１６、ＡＶ処理部１８、操作部２０、入力制御部２６、表示処理部３０、表示装置３２、デジタル−アナログ変換器（Ｄ／Ａ）４０、スピーカ４２、マイクロホン４４、アナログ−デジタル変換器（Ａ／Ｄ）４６、制御部５０、ハードディスク装置（ＨＤＤ）７０、ブルートゥース（登録商標）・インタフェース部（ＢＴ  Ｉ／Ｆ）８０を備えている。
【００１８】
ナビゲーション処理部１０は、ハードディスク装置７０に記憶されている地図データを用いて車載装置１が搭載された車両の走行を案内するナビゲーション動作を行う。自車位置を検出するＧＰＳ装置１２とともに用いられる。車両の走行を案内するナビゲーション動作には、地図表示、経路探索・誘導のほかに周辺施設やＰＯＩ（Point Of Interest）を検索して施設情報を表示する施設検索動作などが含まれる。なお、自車位置検出は、ＧＰＳ１２の他にジャイロセンサや車速センサ等の自律航法センサを組み合わせて用いるようにしてもよい。
【００１９】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。ＡＶ処理部１８は、圧縮されてハードディスク装置７０に記憶されている音楽データや映像データを読み出して再生する処理を行う。なお、音楽データや映像データは、ディスク読取装置（図示せず）を用いてＣＤやＤＶＤから読み取ったものを用いたり、携帯端末装置９０から送られてくるものをブルートゥース・インタフェース部８０経由で受信して用いるようにしてもよい。
【００２０】
操作部２０は、車載装置１に対する利用者による操作を受け付けるためのものであり、表示装置３２の周囲に配置された各種の操作キー、操作スイッチ、操作つまみ等を含んで構成されている。また、表示装置３２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの位置を検出するタッチパネルが操作部２０の一部として備わっている。なお、タッチパネルを用いる代わりに、リモートコントロールユニット等を用いて操作画面や入力画面の一部を利用者の指示に応じて選択するようにしてもよい。入力制御部２６は、操作部２０を監視しており、その操作内容を決定する。
【００２１】
表示処理部３０は、各種の操作画面や入力画面等を表示する映像信号を出力して表示装置３２にこれらの画面を表示するとともに、ナビゲーション処理部１０によって行われる施設検索動作によって得られた施設情報画面を表示したり、ＴＶチューナ処理部１４によって受信した放送信号に対応する映像画面やＡＶ処理部１８によって再生した映像画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００２２】
デジタル−アナログ変換器４０は、ナビゲーション処理部１０、ＴＶチューナ処理部１４、ラジオチューナ処理部１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。
【００２３】
マイクロホン４４は、利用者（運転者）が発生する音声を集音する。アナログ−デジタル変換器４６は、マイクロホン４４で集音された音声信号をデジタルデータに変換する。なお、実際には、マイクロホン４４とアナログ−デジタル変換器４６との間には音声信号を増幅する増幅器が接続されており、増幅後の音声信号がデジタルデータに変換されるが、図１ではこの増幅器は省略されている。
【００２４】
制御部５０は、車載装置１の全体を制御するためのものであり、ＲＯＭやＲＡＭなどに格納された所定のプログラムをＣＰＵで実行することにより実現される。ハードディスク装置７０は、ナビゲーション処理部１０の処理に必要な地図データや、ＡＶ処理部１８の処理に必要な音楽データや映像データなどを格納する。ブルートゥース・インタフェース部８０は、ブルートゥースによって車載装置１と携帯端末装置９０との間で無線接続（ブルートゥース接続）を行って各種データの送受信を行う通信装置（ブルートゥース機器）である。
【００２５】
また、上述した制御部５０は、ＢＴ（ブルートゥース）処理部５１、ハンズフリー処理部５２、発信履歴取得部５３、プレフィックス特定部５４、プレフィックス判定部５５、プレフィックス付与部５６、発信処理部５７を有する。
【００２６】
ＢＴ処理部５１は、外付けの電話端末としての携帯端末装置９０との間でブルートゥースによるデータの送受信を行うために必要な設定、例えばペアリング設定などを行う。
【００２７】
ハンズフリー処理部５２は、利用者による発信先番号を指定した発信要求があったときに、車載装置１に備わったマイクロホン４４を用いて音声入力を行い、携帯端末装置９０の電話機能を利用して発信先番号に対応する通話相手と通話を行う車載装置１側の一連のハンズフリー処理を行う。例えば、ブルートゥースのハンズフリープロファイル（ＨＦＰ：Hands-Free Profile）にしたがって、携帯端末装置９０から送られてくる音声データが取得され、デジタル−アナログ変換器４０によってアナログの音声信号に変換されてスピーカ４２から出力される。
【００２８】
発信履歴取得部５３は、ブルートゥース・インタフェース部８０を介して接続された携帯端末装置９０からこの携帯端末装置９０の発信履歴情報を取得する。この発信履歴情報には、携帯端末装置９０から発信を行った通話相手の電話番号としての発信履歴番号が、最近のものから順に所定数（例えば３０件）含まれている。また、この発信履歴番号には、携帯電話番号や固定電話番号そのものだけでなく、携帯端末装置９０が仮想移動体通信事業者の場合にはこの携帯端末装置９０を用いた通話料を安価にするためのプレフィックス番号や１８４／１８６が付与されている場合がある。
【００２９】
プレフィックス特定部５４は、携帯端末装置９０がブルートゥース接続された状態で、携帯端末装置９０に対応するプレフィックス番号を特定する。なお、このプレフィックス番号は、携帯端末装置９０が仮想移動体通信事業者の場合を想定しており、自前の基地局を有する電気通信事業者に対応する携帯端末装置９０については対応するプレフィックス番号は存在しない。具体的には、プレフィックス特定部５４は、発信履歴取得部５３によって取得した発信履歴情報に含まれる発信履歴番号に基づいて、携帯端末装置９０に対応するプレフィックス番号を特定する。プレフィックス特定の詳細については後述する。
【００３０】
プレフィックス判定部５５は、利用者による発信先番号を指定した発信要求があったときに、この発信先番号にプレフィックス番号が含まれているか否かを判定する。
【００３１】
プレフィックス付与部５６は、プレフィックス判定部５５によってプレフィックス番号が含まれていない旨の判定が行われたときに、プレフィックス特定部５４によって特定されたプレフィックス番号を発信先番号に付与する。
【００３２】
発信処理部５７は、プレフィックス付与部５６によって付与されたプレフィックス番号と発信先番号とを指定して携帯端末装置９０に発信を指示する。
【００３３】
上述したブルートゥース・インタフェース部８０が接続手段に、プレフィックス特定部５４がプレフィックス特定手段に、プレフィックス判定部５５がプレフィックス判定手段に、プレフィックス付与部５６がプレフィックス付与手段に、発信処理部５７が発信手段に、発信履歴取得部５３が発信履歴取得手段にそれぞれ対応する。
【００３４】
本実施形態の車載装置１はこのような構成を有しており、次に、プレフィックス番号を特定する動作や、この特定したプレフィックス番号を用いて任意の通話先に対して発信する動作について説明する。
【００３５】
図２は、携帯端末装置９０がブルートゥース接続された際にこの携帯端末装置９０に対応するプレフィックス番号を特定する動作手順を示す流れ図である。
【００３６】
発信履歴取得部５３は、携帯端末装置９０がブルートゥース接続されたか否かを判定する（ステップ１００）。なお、ブルートゥース接続以外の方法（例えば、ＵＳＢ接続や無線ＬＡＮ接続）によって接続された携帯端末装置９０を用いて外部の通話先との間で通話が可能な場合には、ブルートゥース接続やこれらその他の方法を用いた接続のいずれかで接続されたか否かが判定される。この点は、後述する図４に示す変形例についても同様である。接続されていない場合には否定判断が行われ、この判定が繰り返される。
【００３７】
また、携帯端末装置９０がブルートゥース接続された場合にはステップ１００の判定において肯定判断が行われる。次に、発信履歴取得部５３は、接続された携帯端末装置９０の発信履歴情報を取得する（ステップ１０２）。
【００３８】
また、プレフィックス特定部５４は、この発信履歴情報に含まれる一の発信履歴番号を選択する（ステップ１０４）。例えば、発信時刻が最も新しい発信履歴番号が選択される。次に、プレフィックス特定部５４は、選択した発信履歴番号の先頭部分が「１８４」あるいは「１８６」か否かを判定する（ステップ１０６）。これらのいずれかに該当する場合には肯定判断が行われ、プレフィックス特定部５４は、選択した発信履歴番号から先頭部分の１８４／１８６を削除する（ステップ１０８）。
【００３９】
次に、あるいは、発信履歴番号の先頭部分に１８４／１８６が含まれない場合にはステップ１０６の判定において否定判断が行われた後、プレフィックス特定部５４は、発信履歴番号の後方から各桁の番号を探索し（ステップ１１０）、後方から１１桁目以降が「０＊０＊」（＊は０以外の数字）か否かを判定する（ステップ１１２）。この判定は、０９０等で始まる携帯電話番号であるか否かを調べるためのものである。携帯電話番号でない場合には否定判断が行われる。次に、プレフィックス特定部５４は、後方から１０桁目が「０」か否かを判定する（ステップ１１４）。この判定は、０３等で始まる固定電話番号であるか否かを調べるためのものである。
【００４０】
発信履歴番号が携帯電話番号の場合にはステップ１１２の判定において肯定判断が行われる。次に、プレフィックス特定部５４は、携帯電話番号に対応する後方１１桁目以降を削除し（ステップ１１６）、その前方部分に含まれるプレフィックス番号を特定したか否かを判定する（ステップ１１８）。選択された発信履歴番号にプレフィックス番号が付与されていない場合もあり、この場合には否定判断が行われ、ステップ１０４に戻って次の発信履歴番号（例えば、発信時刻が次に新しい発信履歴番号であって、上述したプレフィックス番号特定が終了した発信履歴番号と異なる発信履歴番号）について同様の処理が繰り返される。
【００４１】
また、ステップ１１６において１１桁の携帯電話番号を削除した後に、プレフィックス番号に相当する所定桁数の数字が残った場合にはこの所定桁数の数字がプレフィックス番号として特定される。この場合にはステップ１１８の判定において肯定判断が行われる。次に、プレフィックス特定部５４は、この特定したプレフィックス番号を例えばハードディスク装置７０に格納し（ステップ１２０）、プレフィックス番号特定に関する一連の処理を終了する。
【００４２】
また、発信履歴番号が固定電話番号の場合にはステップ１１４の判定において肯定判断が行われる。次に、プレフィックス特定部５４は、固定電話番号に対応する後方１０桁目以降を削除する（ステップ１２２）。その後、ステップ１１８に移行し、その前方部分に含まれるプレフィックス番号が特定されたか否かの判定が行われる。ステップ１２２において１０桁の固定電話番号を削除した後に、プレフィックス番号に相当する所定桁数の数字が残った場合にはこの所定桁数の数字がプレフィックス番号として特定される。この場合にはステップ１１８の判定において肯定判断が行われ、特定されたプレフィックス番号がハードディスク装置に格納され（ステップ１２０）、プレフィックス番号特定に関する一連の処理を終了する。
【００４３】
図３は、特定されたプレフィックス番号を用いて発信動作を行う動作手順を示す流れ図である。
【００４４】
発信処理部５７は、利用者によって発信先番号を指定した発信要求があったか否かを判定する（ステップ２００）。発信要求がない場合には否定判断が行われ、この判定が繰り返される。発信先番号の指定方法としては、いくつかの方法が考えられる。例えば、（１）ハンズフリー処理部５２によって表示装置３２に表示させたテンキーを利用者が操作して発信先番号を入力する場合、（２）ハンズフリー処理部５２によって表示装置３２に、複数の通話先に関する氏名・名称や電話番号が登録された電話帳を表示させ、その中からいずれかの通話先を利用者の操作によって選択する場合、（３）ナビゲーション処理部１０によって表示装置３２に、施設検索動作によって得られたいずれかの施設の施設情報を表示させ、この施設情報に含まれる連絡先電話番号（施設電話番号）を利用者の操作によって選択する場合、などが考えられる。いずれかの方法によって発信先番号が指定された状態で、利用者によってこの発信先番号への発信が指示されると、ステップ２００の判定において肯定判断が行われる。
【００４５】
次に、プレフィックス判定部５５は、指定された発信先番号にすでにプレフィックス番号が付与されているか否かを判定する（ステップ２０２）。例えば、この判定は、後方から１１桁目以降あるいは１０桁目以降を削除したときに、その前方部分にプレフィックス番号に相当する所定桁数の数字が残っているか否かを調べることにより行うことができる。あるいは、図２のステップ１２０において格納されたプレフィックス番号の有無を調べることにより行うようにしてもよい。プリフィクス番号が含まれていない場合には否定判断が行われる。
【００４６】
次に、プレフィックス付与部５６は、プレフィックス番号の推定が終了しているか否か、すなわち、図２に示す一連の動作が行われてステップ１２０において格納されたプレフィックス番号がハードディスク装置７０に格納されているか否かを判定する（ステップ２０４）。格納されている場合には肯定判断が行われる。この場合には、プレフィックス付与部５６は、発信先番号にプレフィックス番号を付与する（ステップ２０６）。また、発信処理部５７は、この付与されたプレフィックス番号と発信先番号を指定して携帯端末装置９０に対して発信を指示する（ステップ２０８）。このようにして、この発信先番号に対応する通話先との間でハンズフリー処理部５２のハンズフリー処理による通話が行われる。
【００４７】
なお、指定された発信先番号にすでにプレフィックス番号が付与されている場合にはステップ２０２の判定において肯定判断が行われた後にステップ２０８に移行して、このプレフィックス番号を用いた発信動作が行われる。また、プレフィックス番号の推定が終了していない場合（接続された携帯端末装置９０の発信履歴情報に含まれる発信履歴番号にプレフィックス番号が付与されたものがなく、携帯端末装置９０に対応するプレフィックス番号が特定できなかった場合）にはステップ２０４の判定において否定判断が行われた後にステップ２０８に移行して、プレフィックス番号なしの発信動作が行われる。
【００４８】
このように、本実施形態の車載装置１では、接続された外付けの携帯端末装置９０に対応するプレフィックス番号が特定されるとともに、利用者によって指定された発信先番号についてプレフィックス番号付与の有無が判定されるため、プレフィックス番号が付与されていない発信先番号が指定されたときに、外付けの電話端末に対応する正確なプレフィックス番号を付与してこの発信先番号に対して発信を行うことが可能となる。
【００４９】
また、仮想移動体通信事業者が提供する移動通信サービスに対応する携帯端末装置９０を想定してプレフィックス番号の特定を行うことにより、仮想移動体通信事業者が提供する安価な通信サービスを確実に利用することが可能になり、プレフィックス番号がわからなかったり付与を忘れることにより通信費が増大することを防止することができる。
【００５０】
また、携帯端末装置９０の発信履歴情報に含まれる発信履歴番号には、この電話端末に対応するプレフィックス番号が付与されていることが多いため、この発信履歴情報を取得して内容を解析することにより、この携帯端末装置９０に対応するプレフィックス番号を容易に特定することができる。特に、発信履歴番号から携帯電話番号や固定電話番号を取り除くことにより、これらの先頭部分に付与されたプレフィックス番号を抽出することが可能となる。
【００５１】
また、利用者がテンキーを用いて電話番号を直接入力した場合や車載装置等に備わった電話帳の中から任意の通話先を指定した場合であって、プレフィックス番号の付与がなされていない場合にも、確実にプレフィックス番号を付与することができる。あるいは、施設検索動作によって得られた施設情報に含まれる施設電話番号を指定した場合にも、確実にプレフィックス番号を付与することができる。
【００５２】
なお、本発明は上記実施形態に限定されるものではなく、本発明の要旨の範囲内において種々の変形実施が可能である。例えば、上述した実施形態では、携帯端末装置９０から取得した発信履歴情報に基づいてこの携帯端末装置９０に対応するプレフィックス番号を特定したが、その他の方法でこの携帯端末装置９０に対応するプレフィックス番号を特定するようにしてもよい。
【００５３】
図４は、携帯端末装置９０がブルートゥース接続された際にこの携帯端末装置９０に対応するプレフィックス番号を特定する変形例の動作手順を示す流れ図である。
【００５４】
プレフィックス特定部５４は、携帯端末装置９０がブルートゥース接続されたか否かを判定する（ステップ３００）。接続されていない場合には否定判断が行われ、この判定が繰り返される。
【００５５】
また、携帯端末装置９０がブルートゥース接続された場合にはステップ３００の判定において肯定判断が行われる。次に、プレフィックス特定部５４は、接続された携帯端末装置９０にプレフィックス番号を付与するアプリケーション（以後、「プレフィックス番号付与アプリ」と称する）が存在するか否かを判定する（ステップ３０２）。一般に、仮想移動体通信事業者の通信サービスを利用する携帯端末装置９０にはプレフィックス番号付与アプリがインストールされており、このアプリを用いて電話を掛けたり受けたりする操作が行われる。プレフィックス番号付与アプリがインストールされていない場合にはステップ３０２の判定において否定判断が行われ、プレフィックス番号の特定動作が終了する。
【００５６】
また、プレフィックス番号付与アプリがインストールされていることが確認された場合にはステップ３０２の判定において肯定判断が行われる。次に、プレフィックス番号特定部５４は、存在が確認されたプレフィックス番号付与アプリに対応するアプリＩＤ（アプリケーションに１対１に対応するアプリケーション番号）を取得する（ステップ３０４）。このアプリＩＤに基づいて、接続された携帯端末装置９０に対応する仮想移動体通信事業者を特定することができるため、この仮想移動体通信事業者に対応するプレフィックス番号を知ることが可能となる。プレフィックス特定部５４は、アプリＩＤに基づいてプレフィックス番号を特定し（ステップ３０６）、この特定したプレフィックス番号を例えばハードディスク装置７０に格納して（ステップ３０８）、プレフィックス番号特定に関する一連の処理を終了する。このように、携帯端末装置９０にインストールされているプレフィックス番号付与アプリを調べてアプリＩＤを取得することにより、携帯端末装置９０に対応するプレフィックス番号を容易に特定することができる。
【００５７】
また、図２に動作手順を示した実施形態では、発信履歴情報に含まれる発信履歴番号を発信時刻が新しい順に選択してプレフィックス番号を特定したが、所定個数の発信履歴番号のそれぞれについて同様にしてプレフィックス番号を特定し、多数決により一のプレフィックス番号を決定するようにしてもよい。また、今回携帯端末装置９０が接続される以前にハードディスク装置７０に格納されていたプレフィックス番号が存在する場合には、このプレフィックス番号と今回新たに特定したプレフィックス番号とを比較し、異なる場合には、前回のプレフィックス番号を採用したり、今回新たに特定したプレフィックス番号で前回のプレフィックス番号を更新した後に今回のプレフィックス番号を採用するようにしてもよい。
【００５８】
また、図３に動作手順を示した実施形態では、発信先番号にすでにプレフィックス番号が付与されている場合（ステップ２０２の判定において肯定判断）には、このプレフィックス番号を用いて発信動作を行うようにしたが、このプレフィックス番号が今回新たに特定されたプレフィックス番号と異なる場合に、今回のプレフィックス番号の置き換えた後に発信動作を行うようにしてもよい。
【００５９】
また、図３に動作手順を示した実施形態では、特定されたプレフィックス番号を自動的に付与するようにしたが、利用者の同意を待って付与するようにしてもよい。
【００６０】
図５は、利用者の同意を待ってプレフィックス番号を付与するようにした変形例の動作手順を示す流れ図である。図５に示す動作手順は、図３に示した動作手順に対して、ステップ２０４と２０６の動作の間にステップ２０５の動作を追加した点が異なっている。以下では、この追加されたステップ２０５に着目して説明を行うものとする。
【００６１】
プレフィックス番号の推定が終了していることが確認（ステップ２０４の判定において肯定判断）された後、プレフィックス付与部５６は、プレフィックス番号の付与が利用者によって承認されたか否かを判定する（ステップ２０５）。例えば、特定したプレフィックス番号を電話番号に付与する旨のメッセージが表示装置３２に表示され、利用者によって同意を示す操作が行われたときに、番号付与が承認されたものとして肯定判断が行われる。この場合には、プレフィックス付与部５６は、発信先番号にプレフィックス番号を付与する（ステップ２０６）。なお、承認されなかった場合にはステップ２０５の判定において否定判断が行われ、ステップ２０８に移行して、プレフィックス番号なしの発信動作が行われる。このように、利用者の同意を条件にプレフィックス番号を付与することにより、利用者が希望する場合に限ってプレフィックス番号を付与することができ、利用者の意思を尊重した発信動作を行うことが可能となる。
【００６２】
また、上述した実施形態では、車載装置１について本発明を適用したが、例えばノートパソコン等に携帯端末装置９０を接続して発信動作を行う場合にも本発明を適用することができる。
【産業上の利用可能性】
【００６３】
上述したように、本発明によれば、接続された外付けの電話端末に対応するプレフィックス番号が特定されるとともに、利用者によって指定された発信先番号についてプレフィックス番号付与の有無が判定されるため、プレフィックス番号が付与されていない発信先番号が指定されたときに、外付けの電話端末に対応する正確なプレフィックス番号を付与してこの発信先番号に対して発信を行うことが可能となる。
【符号の説明】
【００６４】
１  車載装置
２０  操作部
２６  入力制御部
３０  表示処理部
３２  表示装置
５０  制御部
５１  ＢＴ処理部
５２  ハンズフリー処理部
５３  発信履歴取得部
５４  プレフィックス特定部
５５  プレフィックス判定部
５６  プレフィックス付与部
５７  発信処理部
８０  ブルートゥース・インタフェース部（ＢＴ  Ｉ／Ｆ）
【図１】
2019121936.tif 000003
【図２】
2019121936.tif 000004
【図３】
2019121936.tif 000005
【図４】
2019121936.tif 000006
【図５】
2019121936.tif 000007